(57)【要約】【課題】  ソケットコネクタ１０の耐衝撃性を低廉かつ大幅に向上させることを可能とする。【解決手段】  モジュール係止手段１４の可撓性支持板１４ａを絶縁ハウジングの環状側壁板１１における一つの角隅部を支点として隣接する他の角隅部に向かって片持状をなすように延出させることによって可撓性支持板１４ａの延出側の自由端部分１４ｃに設けた係止部１４ｆにおけるモジュール本体部２１の嵌合表面に対する引っ掛かり面積をソケットコネクタ１０の高さとは無関係に十分確保可能として低背構造のソケットコネクタにおいても良好な耐衝撃性が得られるように構成したもの。【選択図】      図１
2006310026.tif 000002
【特許請求の範囲】
【請求項１】
モジュール本体部を挿入可能とするモジュール装着空間を形成する中空角柱状の環状側壁板を有する絶縁ハウジングと、
その絶縁ハウジングの前記モジュール装着空間内に挿入された前記モジュール本体部の表面に係合して前記モジュール本体部を不動状態に保持するモジュール係止手段と、
を備えたソケットコネクタにおいて、
前記モジュール係止手段は、前記絶縁ハウジングの中空角柱状の環状側壁板における一つの角隅部を支点として隣接する他の角隅部に向かって片持状をなすように延出する可撓性支持板を有し、
その片持状をなす可撓性支持板の延出側の自由端部分が、前記モジュール本体部の挿入方向に対して略直交する方向に揺動可能に設けられているとともに、
当該可撓性支持板の自由端部分に、前記モジュール本体部の表面に係合する係止部が設けられていることを特徴とするソケットコネクタ。
【請求項２】
前記可撓性支持板は、前記絶縁ハウジングの開口縁部を構成するように延在する細長帯状部材から形成されていることを特徴とする請求項１記載のソケットコネクタ。
【請求項３】
前記可撓性支持板の係止部は、前記モジュール本体部の外周縁部から中心側に向かって張り出すように形成されていることを特徴とする請求項１記載のソケットコネクタ。
【請求項４】
前記モジュール本体部が、カメラ部を一体に備えたカメラモジュールを構成していることを特徴とする請求項１記載のソケットコネクタ。
【発明の詳細な説明】
【技術分野】
【０００１】
本発明は、絶縁ハウジング内に装着されたモジュール本体部をモジュール係止手段により保持するように構成されたソケットコネクタに関する。
【背景技術】
【０００２】
一般に、カメラ部を一体に備えたカメラモジュール等のように各種電子部品のモジュール化することが種々の分野で行われているが、そのようにモジュール化した電子部品を実装するにあたっては、適宜の回路基板上に装架されたソケットコネクタに対して、モジュール本体部を装着することによって電気的な接続を行うようにしている（例えば下記特許文献１参照）。
【０００３】
図７および図８に示されているようなカメラモジュール１のモジュール本体部１ａを装着するソケットコネクタ２においては、中空角柱状をなすように形成された環状側壁板２ａを有する絶縁ハウジングを備えていて、当該絶縁ハウジングの環状側壁板２ａは、略角柱状をなすモジュール内装空間を形成するように底壁板２ｂの外周縁部から略垂直に立ち上げられている。そして、その環状側壁板２ａにおける略矩形状をなす開口部から前記モジュール本体部１を図示下方側に挿入することによって当該モジュール本体部１を前記モジュール内装空間に装着するように構成されている。このようにしてソケットコネクタ２内に装着されたモジュール本体部１は、絶縁ハウジングの環状側壁板２ａの角隅部に配置されたモジュール係止手段３により不動状態に保持される。
【０００４】
すなわち、上述したモジュール係止手段３は、図９および図１０にも示されているように、前記絶縁ハウジングの環状側壁板２ａの角隅部に配置された可撓性支持板３ａを有している。この可撓性支持板３ａは、前記底壁板２ｂから図示上方側に向かって片持ち状をなすように立ち上げられており、その片持状をなす可撓性支持板３ａにおける図示上端側の自由端部分に係止部３ｂが設けられている。その係止部３ｂは、前記可撓性支持板３ａの自由端部分を内方側に向かって逆Ｕ字形状をなすように折り返して形成されたものであって、その折り返した図示下端側の端面３ｃが、前記モジュール内装空間に挿入されたモジュール本体部１ａのエッジ部近傍の嵌合表面（図示上面）に係合することによってモジュール本体部１ａの全体が不動状態に保持されるようになっている。
【０００５】
しかしながら、このような構造を有するソケットコネクタ２においては、上述したモジュール係止手段３の係止部３ｂが係合するモジュール本体部１のエッジ部近傍が、強度の小さい薄肉状となっていることから耐衝撃性に問題を生じるおそれがある。例えば携帯電話やＰＤＡ等に組み込まれて使用された場合には、使用中に誤って落下させるような事態によって大きな衝撃力を受けることが考えられる。そして、そのような落下時には、上述したモジュール係止手段３の係止部３ｂとモジュール本体部１の嵌合表面１ａとが激しく衝突することとなり、その際に発生するとき大きな衝撃力によって、モジュール本体部１の嵌合表面の近傍部分に欠け等の損傷を生じ、モジュール本体部１ａの保持ができなくなってカメラ機能を害するおそれがある。このような事情から近年では、ソケットコネクタ２の耐衝撃性を大幅に向上させる要請が強くなってきている。
【０００６】
特に最近においては、携帯電話やＰＤＡの小型化に伴ってソケットコネクタ２の高さを出来るだけ低く抑えた低背構造とする傾向になってきている。そのような低背構造では、上述したモジュール係止手段３の可撓性支持板３ａの延出高さも短縮化せざるを得なくなり、当該可撓性支持板３ａの撓み量が小さくなってしまう。その結果、可撓性支持板３ａの自由端部分に設けられた係止部３ｂが、モジュール本体部１ａの嵌合表面に係合する引っ掛かり面積が小さくなってしまい、上述したソケットコネクタ２の耐衝撃性向上の要請に反することになりかねない。
【０００７】
【特許文献１】特開２００５−２５９８４号公報
【発明の開示】
【発明が解決しようとする課題】
【０００８】
そこで本発明は、低背構造であっても良好な耐衝撃性を得られるように構成されたソケットコネクタを提供することを目的とする。
【課題を解決するための手段】
【０００９】
上記目的を達成するため本発明の請求項１にかかるソケットコネクタでは、モジュール本体部を挿入可能とするモジュール装着空間を形成する中空角柱状の環状側壁板を有する絶縁ハウジングと、その絶縁ハウジングの前記モジュール装着空間内に挿入された前記モジュール本体部の表面に係合して前記モジュール本体部を不動状態に保持するモジュール係止手段とを備えたソケットコネクタにおいて、前記モジュール係止手段は、前記絶縁ハウジングの中空角柱状の環状側壁板における一つの角隅部を支点として隣接する他の角隅部に向かって片持状をなすように延出する可撓性支持板を有し、その片持状をなす可撓性支持板の延出側の自由端部分が、前記モジュール本体部の挿入方向に対して略直交する方向に揺動可能に設けられているとともに、当該可撓性支持板の自由端部分に、前記モジュール本体部の表面に係合する係止部が設けられている。
【００１０】
このような構成を有する請求項１にかかるソケットコネクタによれば、モジュール係止手段の可撓性支持板が、絶縁ハウジングの環状側壁板における隣接する角隅部どうしの間に掛け渡される方向に延在する構成になされているため、可撓性支持板の自由端部分に設けられた係止部のモジュール本体部に対する引っ掛かり面積が、ソケットコネクタの高さとは無関係に十分確保されることとなり、低背構造のソケットコネクタにおいても良好な耐衝撃性が得られるようになっている。
【００１１】
また、本発明の請求項２にかかるソケットコネクタでは、前記請求項１における可撓性支持板が、絶縁ハウジングの開口縁部を構成するように延在する細長帯状部材から形成されている。
【００１２】
このような構成を有する請求項２にかかるソケットコネクタによれば、モジュール本体部をソケットコネクタ内に挿入する際に、細長帯状部材からなる可撓性支持板を容易に押し開いておくことによって、ソケットコネクタに対するモジュール本体部の挿入操作が容易に行われる。
【００１３】
さらに、本発明の請求項３にかかるソケットコネクタでは、前記請求項１における可撓性支持板の係止部が、モジュール本体部の外周縁部から中心側に向かって張り出すように形成されている。
【００１４】
このような構成を有する請求項３にかかるソケットコネクタによれば、モジュール本体部の嵌合表面に対する可撓性支持板の係止部の引っ掛かり面積が、強度が大きいモジュール本体部の中心側に向かって拡大されることとなり、そのために極めて良好な耐衝撃性が得られる。
【００１５】
さらにまた、本発明の請求項４にかかるソケットコネクタでは、前記請求項１におけるモジュール本体部がカメラ部を一体に備えたカメラモジュールを構成している。
【００１６】
このような構成を有する請求項４にかかるソケットコネクタによれば、カメラモジュールにおいて上述した作用が良好に得られる。
【発明の効果】
【００１７】
以上述べたように本発明にかかるソケットコネクタは、モジュール係止手段の可撓性支持板を、絶縁ハウジングの環状側壁板における一つの角隅部を支点として隣接する他の角隅部に向かって片持状をなすように延出させることによって、中空角柱状をなす絶縁ハウジングの環状側壁板の隣接する角隅部どうしの間に可撓性支持板を掛け渡す配置関係とし、可撓性支持板の延出側の自由端部分に設けた係止部におけるモジュール本体部の嵌合表面に対する引っ掛かり面積をソケットコネクタの高さとは無関係に十分確保可能として低背構造のソケットコネクタにおいても良好な耐衝撃性が得られるように構成したものであるから、ソケットコネクタの耐衝撃性を低廉かつ大幅に向上させることができ、ソケットコネクタの信頼性を高めることができる。
【発明を実施するための最良の形態】
【００１８】
以下、本発明をカメラモジュールに適用した一実施形態について図面に基づいて詳細に説明する。
【００１９】
図１および図２に示されている本発明の一実施形態にかかるソケットコネクタ１０は、中空角柱状すなわち平面略矩形状をなすように形成された環状側壁板１１を有する絶縁ハウジングを備えている。この絶縁ハウジングの環状側壁板１１は、底壁板１２の外周縁部から略直角に立ち上がって略角柱状のモジュール内装空間を形成しており、当該環状側壁板１１の略矩形状をなす開口部を通して、カメラ部を一体に有するカメラモジュール２０のモジュール本体部２１を挿入することにより、前記絶縁ハウジングのモジュール内装空間にモジュール本体部２１を装着する構成になされている。
【００２０】
上述した絶縁ハウジングの環状側壁板１１の内側表面には、多数の導電コンタクト１３が適宜のピッチで矩形状をなすようにして環状配置されている。それらの各導電コンタクト１３の内方側部分には、特に図３に示されているように、前記モジュール内装空間側に向かって突出する接点部１３ａをそれぞれ備えている。それらの各接点部１３ａは、前記絶縁ハウジングの環状側壁板１１側から底壁板１２に向かって斜めに傾斜して延出するように形成されており、前記モジュール本体部２１の底縁角部に凹設された接続パットのメッキ導電部２１ａに対して弾性的に圧接される配置関係になされている。
【００２１】
また、それらの導電コンタクト１３の外方側部分には、上述した絶縁ハウジングの環状側壁板１１と底壁板１２との間に形成された挿通隙間１０ａを通して外方に適宜の量だけ延出する半田接続部１３ｂを有しており、それらの各半田接続部１３ｂが、図示を省略した回路基板上に形成された半田付けランド部に載置されて半田接続されるようになっている。
【００２２】
さらに、このようなソケットコネクタ１０に装着されたカメラモジュール２０を構成するモジュール本体部２１は、絶縁ハウジングの環状側壁板１１の一部を構成するように配置されたモジュール係止手段１４によって不動状態に保持される構成になされている。このモジュール係止手段１４を構成している可撓性支持板１４ａは、特に図４，図５および図６に示されているように、上述した絶縁ハウジングの環状側壁板１１における略矩形状開口部を形成するように延在する４体の細長帯状部材から形成されており、それら４体の可撓性支持板１４ａが、前記環状側壁板１１の図示上縁部に沿って平面略矩形状をなすように配置されている。
【００２３】
すなわち、それらの各可撓性支持板１４ａは、前記絶縁ハウジングの環状側壁板１１の開口部における一つの角隅部を支点として隣接する他の角隅部に向かって片持状をなすように延出するように配置されており、当該各可撓性支持板１４ａの支点側に位置する基端部分１４ｂと、それに隣接する他の可撓性支持板１４ａの延出側に位置する自由端部分１４ｃとが一部重合するように配置関係になされている。
【００２４】
このとき、上述した各可撓性支持板１４ａの基端部分１４ｂは、前記絶縁ハウジングの環状側壁板１１の角隅部に形成された狭小の取付溝１１ａ内に圧入されることにより固定されている。このおり、その圧入固定部分を支点として延出する当該可撓性支持板１４ａの自由端部分１４ｃが、前記カメラモジュール２０のモジュール本体部２１の挿入方向（図示上下方向）に略直交する面内（図示水平面内）において揺動可能な構成になされている。
【００２５】
また、上述した可撓性支持板１４ａの基端部分１４ｂは、前記絶縁ハウジングの環状側壁板１１の角隅部に沿うようにして略直角に折れ曲げられた形状になされており、その折り曲げられて他の可撓性支持板１４ａの自由端部分１４ｃ側に向かって延出する部分に、ストッパー１４ｄおよびカバー固定板１４ｅが設けられている。そのうちストッパー１４ｄは、他の可撓性支持板１４ａの自由端部分１４ｃに後述するように設けられた係止部１４ｆに対面するように配置されており、当該係止部１４ｆの揺動範囲を規制する機能を備えている。
【００２６】
一方、上述したカバー固定板１４ｅは、可撓性支持板１４ａの基端部分１４ｂにおいて前記絶縁ハウジングの環状側壁板１１の外表面に沿って図示下方に延びる細長帯状部材から形成されており、その図示下端部分が図示を省略した回路基板上に達している。そのカバー固定板１４ｅの途中部分には、山形状に張り出すようにしてロック部１４ｇが設けられており、そのロック部１４ｇが、図示を省略したシールドカバー側に設けられたロック穴に係合することによって、ソケットコネクタ１０およびカメラモジュール２０を覆うように装着されたシールドカバーの固定が行われるようになっている。
【００２７】
さらに、上述した片持状をなすようにして延在する各可撓性支持板１４ａの自由端部分１４ｃには、略直角に折り曲げられて平面略Ｌ字形状をなすように形成された係止部１４ｆがそれぞれ設けられている。これらの各係止部１４ｆは、上述したカメラモジュール２０のモジュール本体部２１における図示上面に対して当該モジュール本体部２１の挿入方向（図示上下方向）に重合するように配置されており、そのモジュール本体部２１の図示上面を嵌合表面としてモジュール本体部２１に係合される配置関係になされている。
【００２８】
より具体的には、前記可撓性支持板１４ａの係止部１４ｆは、前記カメラモジュール２０のモジュール本体部２１の外周縁部から中心側に向かって略矩形状に張り出すように形成されている。そして、それらの各係止部１４ｆは、可撓性支持板１４ａが外方側に向かって開放されるように揺動された際に、隣接する他の可撓性支持板１４ａに設けられたストッパー１４ｄの内面側に当接することによって、それ以上外方側へ開放されることのないよう係止される構成になされている。
【００２９】
このような構成を有する本実施形態にかかるソケットコネクタ１０によれば、モジュール係止手段１４の可撓性支持板１４ａが、略矩形状をなす絶縁ハウジングの環状側壁板１１の隣接する角隅部どうしの間に掛け渡されるように延在する配置関係になされているため、可撓性支持板１４ａの延出側の自由端部分１４ｃに設けられた係止部１４ｆがモジュール本体部２１の嵌合表面に係合する引っ掛かり面積が、従来のようにソケットコネクタ１０の高さとは無関係となって十分に確保されることとなり、低背構造のソケットコネクタ１０においても良好な耐衝撃性が得られるようになっている。
【００３０】
特に本実施形態にかかるソケットコネクタ１０では、モジュール本体部２１をソケットコネクタ１０内に挿入する際に可撓性支持板１４ａを外方側に押し開いておくことによって、モジュール本体部２１の挿入操作が容易に行われるようになっている。
【００３１】
さらに本実施形態にかかるソケットコネクタ１０では、モジュール本体部２１の嵌合表面に係合する可撓性支持板１４ａの係止部１４ｆの引っ掛かり面積が、強度が大きいモジュール本体部２１の中心側に向かって略Ｌ字形状をなして張り出すように拡大されているため、極めて良好な耐衝撃性が得られるようになっている。
【００３２】
以上本発明者によってなされた発明を実施形態に基づき具体的に説明したが、本発明は上記実施形態に限定されるものではなく、その要旨を逸脱しない範囲で種々変形可能であるというのはいうまでもない。
【００３３】
例えば上述した実施形態は、カメラモジュール用のソケットコネクタに本発明を適用したものであるが、その他の電子部品をモジュール化した場合におけるソケットコネクタに対しても本発明は同様に適用することができるものである。
【産業上の利用可能性】
【００３４】
以上述べた本発明にかかるソケットコネクタは、カメラモジュールをはじめとしてモジュール化した各種電子部品に対して使用する多種多様なソケットコネクタに対して広く適用することが可能である。
【図面の簡単な説明】
【００３５】
【図１】本発明の一実施形態にかかるソケットコネクタに対してカメラモジュールを装着しようとしている状態を表した観斜視説明図である。
【図２】図１に示された本発明の一実施形態にかかるソケットコネクタに対してカメラモジュールを装着した後の状態を表した観斜視説明図である。
【図３】図１および図２に示された本発明の一実施形態にかかるソケットコネクタおよびカメラモジュールの中心を通る部位の縦断面説明図である。
【図４】図１および図２に示された本発明の一実施形態にかかるソケットコネクタにおける角隅部の構造を表した縦断面説明図である。
【図５】図１および図２に示された本発明の一実施形態にかかるソケットコネクタにおける角隅部の構造を表した外観斜視説明図である。
【図６】図５においてVI−VI線で示された部位の縦断面を表した外観斜視説明図である。
【図７】従来のソケットコネクタに対してカメラモジュールを装着しようとしている状態を表した観斜視説明図である。
【図８】図７に示された従来のソケットコネクタに対してカメラモジュールを装着した後の状態を表した観斜視説明図である。
【図９】図７および図８に示された従来のソケットコネクタにおける角隅部の構造を表した縦断面説明図である。
【図１０】図９に示された角隅部に相当する外観斜視説明図である。
【符号の説明】
【００３６】
１０  ソケットコネクタ
１０ａ  挿通隙間
１１  環状側壁板
１１ａ  取付溝
１２  底壁板
１３  導電コンタクト
１３ａ  接点部
１３ｂ  半田接続部
１４  モジュール係止手段
１４ａ  可撓性支持板
１４ｂ  基端部分
１４ｃ  自由端部分
１４ｄ  ストッパー
１４ｅ  カバー固定板
１４ｆ  係止部
１４ｇ  ロック部
２０  カメラモジュール
２１  モジュール本体部
２１ａ  メッキ導電部
【図１】
2006310026.tif 000003
【図２】
2006310026.tif 000004
【図３】
2006310026.tif 000005
【図４】
2006310026.tif 000006
【図５】
2006310026.tif 000007
【図６】
2006310026.tif 000008
【図７】
2006310026.tif 000009
【図８】
2006310026.tif 000010
【図９】
2006310026.tif 000011
【図１０】
2006310026.tif 000012